(57)【要約】【課題】  本発明は新鮮味があり、効果的で、演出効果が得られるように表示体を見せることができるシャッタ表示装置を得るにある。【解決手段】  背面に位置する表示体を中央部の円形状の透過部を介して見ることができるように形成されたシャッタカバーと、このシャッタカバーの透過部を覆わないようにシャッタカバーの背面に回動可能に取付けられた羽根稼動リングと、この羽根稼動リングを回動させる回動機構と、羽根稼動リングに枢支ピンで枢支されたシャッタカバーの透過部を開閉可能に回動する複数枚のシャッタ羽根と、羽根稼動リングの回動によって複数枚のシャッタ羽根を開閉できるようにシャッタ羽根の外周部にそれぞれ形成された長孔および長孔に枢支されるシャッタカバーの外周部に設けられた枢支ピンと、複数枚のシャッタ羽根の背面を覆う中央部に透過部が形成された取付板とでシャッタ表示装置を構成している。【選択図】  図１
2007054419.tif 000002
【特許請求の範囲】
【請求項１】
背面に位置する表示体を中央部の円形状の透過部を介して見ることができるように形成されたシャッタカバーと、このシャッタカバーの透過部を覆わないように、該シャッタカバーの背面に回動可能に取付けられた羽根稼動リングと、この羽根稼動リングを回動させる回動機構と、前記羽根稼動リングに枢支ピンで枢支された前記シャッタカバーの透過部を開閉可能に回動する複数枚のシャッタ羽根と、前記羽根稼動リングの回動によって、前記複数枚のシャッタ羽根を開閉できるように、該シャッタ羽根の外周部にそれぞれ形成された長孔および、該長孔に枢支される前記シャッタカバーの外周部に設けられた枢支ピンと、前記複数枚のシャッタ羽根の背面を覆う中央部に透過部が形成された取付板とからなることを特徴とするシャッタ表示装置。
【請求項２】
背面に位置する表示体を中央部の円形状の透過部を介して見ることができるように形成されたシャッタカバーと、このシャッタカバーの透過部を覆わないように、該シャッタカバーの背面に回動可能に取付けられた羽根稼動リングと、この羽根稼動リングを回動させる回動機構と、前記羽根稼動リングに枢支ピンで枢支された前記シャッタカバーの透過部を開閉可能に回動する、一部に透過部が形成された５枚のシャッタ羽根と、前記羽根稼動リングの回動によって前記５枚のシャッタ羽根を開閉できるように、該シャッタ羽根の外周部にそれぞれ形成された長孔および、該長孔に枢支される前記シャッタカバーの外周部に設けられた枢支ピンと、前記５枚のシャッタ羽根の背面を覆う中央部に透過部が形成された取付板とからなることを特徴とするシャッタ表示装置。
【請求項３】
中央部に円形状の透過部が形成され、該透過部の外周部にカバー筒が形成された取付板と、この取付板の透過部を開閉可能に前記カバー筒内に配置された複数枚のシャッタ羽根と、この複数枚のシャッタ羽根を開閉可能に回動させるシャッタ羽根開閉機構と、前記複数枚のシャッタ羽根を覆う中央部に前記透過部とほぼ同じ透過部を形成したシャッタカバーとからなることを特徴とするシャッタ表示装置。
【発明の詳細な説明】
【技術分野】
【０００１】
本発明は絵や発光表示、液晶ディスプレイ等の表示体を開閉して見せることができる、主に遊技機に使用されるシャッタ表示装置に関する。
【背景技術】
【０００２】
従来、遊技機に使用される表示装置は、絵や発光表示、液晶ディスプレイ等の表示体を回転あるいは照明の点滅によって行なっている。
【０００３】
このため、目新しさに欠けるため、表示を奇抜にしなければ飽きられるという欠点があった。
【特許文献１】特になし
【発明の開示】
【発明が解決しようとする課題】
【０００４】
本発明は以上のような従来の欠点に鑑み、新鮮味があり、効果的で、演出効果が得られるように表示体を見せることができるシャッタ表示装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は背面に位置する表示体を中央部の円形状の透過部を介して見ることができるように形成されたシャッタカバーと、このシャッタカバーの透過部を覆わないように、該シャッタカバーの背面に回動可能に取付けられた羽根稼動リングと、この羽根稼動リングを回動させる回動機構と、前記羽根稼動リングに枢支ピンで枢支された前記シャッタカバーの透過部を開閉可能に回動する複数枚のシャッタ羽根と、前記羽根稼動リングの回動によって、前記複数枚のシャッタ羽根を開閉できるように、該シャッタ羽根の外周部にそれぞれ形成された長孔および、該長孔に枢支される前記シャッタカバーの外周部に設けられた枢支ピンと、前記複数枚のシャッタ羽根の背面を覆う中央部に透過部が形成された取付板とでシャッタ表示装置を構成している。
【発明の効果】
【０００７】
以上の説明から明らかなように、本発明にあっては次に列挙する効果が得られる。
【０００８】
（１）背面に位置する表示体を中央部の円形状の透過部を介して見ることができるように形成されたシャッタカバーと、このシャッタカバーの透過部を覆わないように、該シャッタカバーの背面に回動可能に取付けられた羽根稼動リングと、この羽根稼動リングを回動させる回動機構と、前記羽根稼動リングに枢支ピンで枢支された前記シャッタカバーの透過部を開閉可能に回動する複数枚のシャッタ羽根と、前記羽根稼動リングの回動によって、前記複数枚のシャッタ羽根を開閉できるように、該シャッタ羽根の外周部にそれぞれ形成された長孔および、該長孔に枢支される前記シャッタカバーの外周部に設けられた枢支ピンと、前記複数枚のシャッタ羽根の背面を覆う中央部に透過部が形成された取付板とで構成されているので、回動機構で羽根稼動リングを回動させると複数枚のシャッタ羽根が開閉してシャッタカバーの透過部を開閉することができる。
したがって、シャッタカバーの透過部を介して見ることができる表示体を複数枚のシャッタ羽根の開閉によって見えたり、見えない状態にすることができる。
【０００９】
（２）前記（１）によって、シャッタカバーの透過部の開閉を複数枚のシャッタ羽根の回動で行なうので、新鮮味があり、効果的に表示体を見せることができる。
【００１０】
（３）前記（１）によって、複数枚のシャッタ羽根の回動で開閉するため、開閉状態はもちろんのこと、半開き状態にもでき、演出的な表示もできる。
【００１１】
（４）前記（１）によって、複数枚のシャッタ羽根の回動で開閉するため、開放時の開放状態はほぼ星形となるため、開放状態を楽しむことができる。
【００１２】
（５）請求項２も前記（１）〜（４）と同様な効果が得られるとともに、複数枚のシャッタ羽根の透過部によって、より演出効果が得られる表示をすることができる。
【発明を実施するための最良の形態】
【００１３】
以下、図面に示す本発明を実施するための最良の形態により、本発明を詳細に説明する。
【００１４】
図１ないし図１０に示す本発明を実施するための最良の第１の形態において、１は背面に配置された絵柄、フィギア、ＬＥＤ等の光源、液晶ディスプレイ等の表示体２を開閉して見える状態と、見えない状態に表示する本発明のシャッタ表示装置で、このシャッタ表示装置１は中央部に前記表示体２を見ることができる円形状の透孔の透過部３が形成されたシャッタカバー４と、このシャッタカバー４の透過部３を覆わないように、該シャッタカバー４の背面に回動可能に取付けられた羽根稼動リング５と、この羽根稼動リング５を回動させる回動機構６と、前記羽根稼動リング５に枢支ピン７、７、７、７、７で枢支された前記シャッタカバー４の透過部３を開閉可能に回動する５枚のシャッタ羽根８、８、８、８、８と、前記羽根稼動リング５の回動によって前記５枚のシャッタ羽根８、８、８、８、８を開閉できるように、該５枚のシャッタ羽根８、８、８、８、８の外周部にそれぞれ形成された長孔９、９、９、９、９および、該長孔９、９、９、９、９に枢支される前記シャッタカバー４の背面外周部に設けられた枢支ピン１０、１０、１０、１０、１０と、前記５枚のシャッタ羽根８、８、８、８、８の背面を覆うとともに、前記表示体２のケース１１が取付けられる取付板１２と、前記シャッタカバー４の透過部３を覆う透明材製のカバー１３とで構成されている。
【００１５】
前記シャッタカバー４は図３および図４に示すように、中央部に円形状の透孔の透過部３が形成された円盤状のシャッタカバー本体１４と、このシャッタカバー本体１４の前面外周部に、前記カバー１３を取付けるための複数個のねじ孔１５が形成された突出された支持片１６と、前記シャッタカバー本体１４の背面の透過部３の周縁部に形成された、前記羽根稼動リング５を支持する支持リング１７と、前記シャッタカバー本体１４の外周部寄りの部位に形成された半円弧状のガイド溝１８と、前記シャッタカバー本体１４の外周部寄りの背面より外方へ突出するように形成された枢支ピン１０、１０、１０、１０、１０とで構成されている。
【００１６】
前記羽根稼動リング５は図５に示すように、前記シャッタカバー４の支持リング１７が内部に入り込むリング状の羽根稼動リング本体１９と、この羽根稼動リング本体１９の一端部より半円弧状に突出した部位に形成された軸心方向に長い長孔２０と、前記羽根稼動リング本体１９の背面へ突出するように形成された枢支ピン７、７、７、７、７とで構成されている。
【００１７】
前記回動機構６は前記取付板１２に取付けられた正・逆回転モータ２１と、この正・逆回転モータ２１の駆動軸２２に取付けられた回転体２３と、この回転体２３の外周部寄りの部位に固定された、前記羽根稼動リング５の長孔２０および前記シャッタカバー４のガイド溝１８と係合する回動ピン２４とで構成されている。
【００１８】
前記５枚のシャッタ羽根８、８、８、８、８は図６に示すように形成されたシャッタ羽根本体２５と、このシャッタ羽根本体２５の前記透過部３を閉じる部位に形成された模様となる透孔で形成した透過部２６と、前記シャッタ羽根本体２５の外周部に前記羽根稼動リング５に形成された枢支ピン７に枢支される枢支孔２７と、前記シャッタ羽根本体２５の外周部に形成された、前記シャッタカバー４の枢支ピン１０と遊びを介して枢支される長孔9とで構成されている。
【００１９】
前記取付板１２は中央部に前記透過部３とほぼ同じ大きさの透孔で形成された透過部２９が形成された取付板本体３０と、この取付板本体３０の前面に前記透過部２９の外周部で前記シャッタカバー４を収納できるように形成されたカバー筒３１と、前記取付板本体３０に形成された前記シャッタカバー４を、該取付板本体３０に複数本のビス３２等によって固定するためのビス挿入孔３３とで構成されている。
【００２０】
上記構成のシャッタ表示装置１は回動機構６の正・逆回転モータ２１を正・逆回転駆動させると回転体２３が回転し、回動ピン２４が羽根稼動リング５の長孔２０内をスライド移動しながらシャッタカバー４のガイド溝１８内をスライド移動して羽根稼動リング５を回動させる。
この羽根稼動リング５の回動によって５枚のシャッタ羽根８、８、８、８、８はシャッタカバー４の枢支ピン１０、１０、１０、１０、１０を支点に回動して透過部３を図１０に示すように全開状態にして、表示体２を見える状態にしたり、図９に示すようにほぼ星形に開口する半開状態にして、表示体２をほぼ半分見える状態にしたり、図１に示すように全閉状態にして、表示体２を見えないようにするとともに、中央部と５枚のシャッタ羽根８、８、８、８、８の模様となる透過部２６、２６、２６、２６、２６だけの模様が見えるようにすることができる。
[発明を実施するための異なる形態]
【００２１】
次に、図１１ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図１１ないし図１３に示す本発明を実施するための第２の形態において、前記本発明を実施するための最良の第１の形態と主に異なる点は、シャッタカバー本体１４Ａを透明樹脂材で形成し、透過部３Ａ以外の部位を不透明になるように塗装したシャッタカバー４Ａと、シャッタ羽根本体２５Ａを透明樹脂材で形成し、透過部２６Ａ以外の部位を不透明になるように塗装したシャッタ羽根８Ａを用いた点で、このように構成したシャッタ表示装置１Ａにしても、前記本発明を実施するための最良の第１の形態と同様な作用効果が得られる。
なお、本発明を実施するための形態ではカバー１３を用いるものを図示したが、本発明はこれに限らず、シャッタカバー４Ａの透過部３Ａが透明樹脂材であるので、カバー１３を不用としても良い。
【００２３】
図１４ないし図１６に示す本発明を実施するための第３の形態において、前記本発明を実施するための最良の第１の形態と主に異なる点は、シャッタ羽根８、８、８、８、８の長孔９、９、９、９、９と係合する係合ピン１０、１０、１０、１０、１０と、羽根稼動リング５の枢支ピン７、７、７、７、７の先端部が挿入される弧状の凹部３４、３４、３４、３４、３４を形成した取付板１２Ａを用いた点で、このように構成したシャッタ装置１Ｂにしても、前記本発明を実施するための最良の第１の形態と同様な作用効果が得られる。
【００２４】
なお、前記本発明の各実施の形態では表示体２として、ケース１１内に回転可能に取り付けられた球状の表示具を備えたものを図示したが、本発明はこれに限らず、絵柄、フィギア、ＬＥＤ等の光源、液晶ディスプレイ等を用いた、従来から一般に使用されている表示体であればどんなものであっても良い。
さらに、前記本発明の各実施の形態では回動機構６として、正・逆回転モータ２１を用いるものについて説明したが、本発明はこれに限らず、ＳＭＡアクチュエータ、リニア駆動モータ、カム機構と一定方向に回転するモータを組み合わせたもの、ソレノイドなどを用いても良い。
【産業上の利用可能性】
【００２５】
本発明は主に遊技機に使用されるシャッタ表示装置を製造する産業で利用される。
【図面の簡単な説明】
【００２６】
【図１】本発明を実施するための最良の第１の形態の斜視図。
【図２】本発明を実施するための最良の第１の形態の分解斜視図。
【図３】本発明を実施するための最良の第１の形態のシャッタカバーの前部を示す斜視図。
【図４】本発明を実施するための最良の第１の形態のシャッタカバーの後部を示す斜視図。
【図５】本発明を実施するための最良の第１の形態の羽根稼動リングの後部を示す斜視図。
【図６】本発明を実施するための最良の第１の形態のシャッタ羽根の説明図。
【図７】本発明を実施するための最良の第１の形態の取付板を外したシャッタ羽根の閉状態の説明図。
【図８】本発明を実施するための最良の第１の形態の取付板を外したシャッタ羽根の開状態の説明図。
【図９】本発明を実施するための最良の第１の形態の半開状態の説明図。
【図１０】本発明を実施するための最良の第１の形態の全開状態の説明図。
【図１１】本発明を実施するための第２の形態を示す斜視図。
【図１２】本発明を実施するための第２の形態を示す分解図。
【図１３】本発明を実施するための第２の形態のシャッタカバーの説明図。
【図１４】本発明を実施するための第３の形態を示す斜視図。
【図１５】本発明を実施するための第３の形態を示す分解図。
【図１６】本発明を実施するための第３の形態の取付板にシャッタ羽根を取付けた状態の斜視図。
【符号の説明】
【００２７】
１、１Ａ、１Ｂ：シャッタ表示装置、    
２：表示体、                  ３、３Ａ：透過部、
４、４Ａ：シャッタカバー、    ５：羽根稼動リング、
６：回動機構、                ７：枢支ピン、
８、８Ａ：シャッタ羽根、      ９：長孔、
１０：枢支ピン、              １１：ケース、
１２、１２Ａ：取付板、        １３：カバー、
１４、１４Ａ：シャッタカバー本体、
１５：ねじ孔、                １６：支持片、
１７：支持リング、            １８：ガイド溝、
１９：羽根稼動リング本体、    ２０：長孔、
２１：正・逆回転モータ、      ２２：駆動軸、
２３：回転体、                ２４：回動ピン、
２５、２５Ａ：シャッタ羽根本体、  
２６、２６Ａ：透過部、        ２７：枢支孔、
２９：透過部、                ３０：取付板本体、
３１：カバー筒、              ３２：ビス、
３３：ビス挿入孔、            ３４：弧状の凹部。
【図１】
2007054419.tif 000003
【図２】
2007054419.tif 000004
【図３】
2007054419.tif 000005
【図４】
2007054419.tif 000006
【図５】
2007054419.tif 000007
【図６】
2007054419.tif 000008
【図７】
2007054419.tif 000009
【図８】
2007054419.tif 000010
【図９】
2007054419.tif 000011
【図１０】
2007054419.tif 000012
【図１１】
2007054419.tif 000013
【図１２】
2007054419.tif 000014
【図１３】
2007054419.tif 000015
【図１４】
2007054419.tif 000016
【図１５】
2007054419.tif 000017
【図１６】
2007054419.tif 000018